(57)【要約】【課題】簡素な構成にてバランス補正回路に生じた断線を確実に検出する。【解決手段】スイッチング素子Ｓ１，Ｓ２をオンオフ制御することにより、直列接続された蓄電セルＢ１，Ｂ２を放電ユニットＵ１，Ｕ２の抵抗素子Ｒ１，Ｒ２に接続して蓄電セルＢ１，Ｂ２の電圧を均等化する制御回路１０と、蓄電セルＢ１，Ｂ２の夫々の端子間電圧である第１及び第２の電圧を計測する電圧センサＶＭ１，ＶＭ２とを備えたバランス補正回路１において、スイッチング素子Ｓ１，Ｓ２をオン又はオフに維持した一つ以上の状態について第１の電圧又は第２の電圧を取得し、取得した電圧に基づき、蓄電セルＢ１，Ｂ２と放電ユニットＵ１，Ｕ２とを結ぶ線路である第１乃至第３の線路に断線が生じているか否かを判定する。【選択図】図１
2015033283.tif 000002
【特許請求の範囲】
【請求項１】
直列接続された複数の蓄電セルからなる集合電池において、前記蓄電セル間又は直列接続された複数の前記蓄電セルからなる蓄電モジュール間の電圧を均等化するバランス補正装置であって、
前後して直列接続する第１の前記蓄電モジュールと第２の前記蓄電モジュールのうち、前記第１の蓄電モジュールの正負端子間に接続される、第１のスイッチング素子と第１の放電素子とが直列接続された構成を含む第１の放電ユニットと、
前記第２の蓄電モジュールの正負端子間に接続される、第２のスイッチング素子と第２の放電素子とが直列接続された構成を含む第２の放電ユニットと、
前記第１の蓄電モジュールの端子間電圧である第１の電圧と前記第２の蓄電モジュールの端子間電圧である第２の電圧とを均等化するために、前記第１のスイッチング素子又は前記第２のスイッチング素子をオンオフ制御する制御回路と、
前記第１の電圧を計測する第１の電圧センサと、
前記第２の電圧を計測する第２の電圧センサと、
を備え、
前記制御回路は、
前記第１のスイッチング素子又は前記第２のスイッチング素子を夫々オン又はオフに維持した一つ以上のパターンについて前記第１の電圧又は前記第２の電圧を取得し、
取得した前記第１の電圧又は前記第２の電圧に基づき、前記第１の蓄電モジュールの正極と前記第１の放電ユニットとを結ぶ線路である第１の線路、前記第２の蓄電モジュールの正極と前記第２の放電ユニットとを結ぶ線路である第２の線路、及び前記第２の蓄電モジュールの負極と前記第２の放電ユニットとを結ぶ線路である第３の線路の少なくともいずれかについて、断線が生じているか否かを判定する
バランス補正装置。
【請求項２】
請求項１に記載のバランス補正装置であって、
前記第１の蓄電モジュールの端子間に接続される第１の容量素子を備え、
前記制御回路は、前記均等化のための前記第１のスイッチング素子又は前記第２のスイッチング素子をオンオフ制御を中止した後、前記第１の容量素子を放電すべく前記第１のスイッチング素子を所定時間オンに維持し、前記所定時間の経過後、前記第１の電圧を前記第１の電圧センサから取得し、取得した前記第１の電圧が０又は予め設定された閾値以下であるか否かを判定することにより、前記第１の線路に断線が生じているか否かを判定する
バランス補正装置。
【請求項３】
請求項１又は２に記載のバランス補正装置であって、
前記第２の蓄電モジュールの端子間に接続される第２の容量素子を備え、
前記制御回路は、前記均等化のための前記第１のスイッチング素子又は前記第２のスイッチング素子のオンオフ制御を中止した後、前記第２の容量素子を放電すべく前記第２のスイッチング素子を所定時間オンに維持し、前記所定時間の経過後、前記第２の電圧を前記第２の電圧センサから取得し、取得した前記第２の電圧が０又は予め設定された閾値以下であるか否かを判定することにより、前記第２の線路及び前記第３の線路のうちの少なくともいずれかに断線が生じているか否かを判定する
バランス補正装置。
【請求項４】
請求項１乃至３のいずれか一項に記載のバランス補正装置であって、
前記制御回路は、前記第１の線路、前記第２の線路、前記第３の線路の少なくともいずれかに断線が生じていると判定した場合に、前記均等化のための前記第１のスイッチング素子又は前記第２のスイッチング素子のオンオフ制御を中止する
バランス補正装置。
【請求項５】
前記複数の蓄電セルと、請求項１乃至４のいずれか一項に記載の前記バランス補正装置とを、備える蓄電装置。
【発明の詳細な説明】
【技術分野】
【０００１】
この発明は、直列接続された複数の蓄電セルからなる集合電池において、蓄電セル間又は直列接続された複数の蓄電セルからなる蓄電モジュール間の電圧を均等化するバランス補正装置及び蓄電装置に関する。
【背景技術】
【０００２】
複数の蓄電セルが直列接続されてなる集合電池にあっては、放電能力の低下や寿命の短縮化を防ぐために蓄電セル間の電圧（起電力）のばらつきを抑える必要がある。蓄電セル間の電圧を均等化させる仕組みとして、例えば、特許文献１には、直列に接続された複数のセルと、セルの端子間の電圧を検出するセル電圧検出手段と、セルの端子間の電圧検出に用いられ、セルの端子とセル電圧検出手段の端子とを接続する電圧検出線と、複数のセルの端子間の電圧を均等にする均等化放電回路と、一端がセルの端子に抵抗器を介して接続されるとともにセル電圧検出手段の端子に接続され、他端が所定の電位に保持され、抵抗器とともにフィルタ回路を形成するコンデンサとを備えた蓄電装置について開示されている。また同文献には、電圧検出線の断線を正確に検知すべく、均等化放電回路が動作していない時、セル電圧検出手段によって検出されるセルの端子間の電圧が所定の電圧範囲から外れる場合、電圧検出線が断線していると判定する断線検知手段を設けることが記載されている。
【先行技術文献】
【特許文献】
【０００３】
【特許文献１】特開２０１２−１７２９９２号公報
【発明の概要】
【発明が解決しようとする課題】
【０００４】
断線検出の仕組みとしては、上記特許文献１に開示された方法の他、例えば、バッテリーマネージメント用の集積回路の内部に設けられている電流源回路から電流を供給して電流を流すことにより電圧検出線の断線を検出することが考えられる。しかしこの方法を実施する場合は制御装置に専用の制御命令を用意する必要があり、内部回路も複雑化する。
【０００５】
昨今、蓄電装置を備えた製品の小型化に対する要請が高まっており、こうした製品に搭載される蓄電装置については、従来にも増して小型化が求められるようになってきている。このため、蓄電セルや蓄電モジュールを備えて構成される蓄電装置に適用されるバランス補正装置についても簡素かつ小型であることが求められるようになってきている。
【０００６】
本発明は、このような課題を解決すべくなされたもので、簡素な構成にて回路に生じた断線を確実に検出することが可能な、バランス補正装置及び蓄電装置を提供することを目的としている。
【課題を解決するための手段】
【０００７】
上記目的を達成するための本発明のうちの一つは、直列接続された複数の蓄電セルからなる集合電池において、前記蓄電セル間又は直列接続された複数の前記蓄電セルからなる蓄電モジュール間の電圧を均等化するバランス補正装置であって、前後して直列接続する第１の前記蓄電モジュールと第２の前記蓄電モジュールのうち、前記第１の蓄電モジュールの正負端子間に接続される、第１のスイッチング素子と第１の放電素子とが直列接続された構成を含む第１の放電ユニットと、前記第２の蓄電モジュールの正負端子間に接続される、第２のスイッチング素子と第２の放電素子とが直列接続された構成を含む第２の放電ユニットと、前記第１の蓄電モジュールの端子間電圧である第１の電圧と前記第２の蓄電モジュールの端子間電圧である第２の電圧とを均等化するために、前記第１のスイッチング素子又は前記第２のスイッチング素子をオンオフ制御する制御回路と、前記第１の電圧を計測する第１の電圧センサと、前記第２の電圧を計測する第２の電圧センサと、を備え、前記制御回路は、前記第１のスイッチング素子又は前記第２のスイッチング素子を夫々オン又はオフに維持した一つ以上のパターンについて前記第１の電圧又は前記第２の電圧を取得し、取得した前記第１の電圧又は前記第２の電圧に基づき、前記第１の蓄電モジュールの正極と前記第１の放電ユニットとを結ぶ線路である第１の線路、前記第２の蓄電モジュールの正極と前記第２の放電ユニットとを結ぶ線路である第２の線路、及び前記第２の蓄電モジュールの負極と前記第２の放電ユニットとを結ぶ線路である第３の線路の少なくともいずれかについて、断線が生じているか否かを判定する。
【０００８】
本発明の他の一つは、上記バランス補正装置であって、前記第１の蓄電モジュールの端子間に接続される第１の容量素子を備え、前記制御回路は、前記均等化のための前記第１のスイッチング素子又は前記第２のスイッチング素子をオンオフ制御を中止した後、前記第１の容量素子を放電すべく前記第１のスイッチング素子を所定時間オンに維持し、前記所定時間の経過後、前記第１の電圧を前記第１の電圧センサから取得し、取得した前記第１の電圧が０又は予め設定された閾値以下であるか否かを判定することにより、前記第１の線路に断線が生じているか否かを判定する。
【０００９】
本発明の他の一つは、上記バランス補正装置であって、前記第２の蓄電モジュールの端子間に接続される第２の容量素子を備え、前記制御回路は、前記均等化のための前記第１のスイッチング素子又は前記第２のスイッチング素子のオンオフ制御を中止した後、前記第２の容量素子を放電すべく前記第２のスイッチング素子を所定時間オンに維持し、前記所定時間の経過後、前記第２の電圧を前記第２の電圧センサから取得し、取得した前記第２の電圧が０又は予め設定された閾値以下であるか否かを判定することにより、前記第２の線路及び前記第３の線路のうちの少なくともいずれかに断線が生じているか否かを判定する。
【００１０】
本発明の他の一つは、上記バランス補正装置であって、前記制御回路は、前記第１の線路、前記第２の線路、前記第３の線路の少なくともいずれかに断線が生じていると判定した場合に、前記均等化のための前記第１のスイッチング素子又は前記第２のスイッチング素子のオンオフ制御を中止する。
【００１１】
本発明の他の一つは、上記蓄電装置であって、前記複数の蓄電セルと、前記いずれかのバランス補正装置とを備える。
【００１２】
その他、本願が開示する課題、及びその解決方法は、発明を実施するための形態の欄、及び図面により明らかにされる。
【発明の効果】
【００１３】
本発明によれば、簡素な構成にて回路に生じた断線を確実に検出することが可能なバランス補正装置及び蓄電装置を提供することができる。
【図面の簡単な説明】
【００１４】
【図１】バランス補正回路１の一例である。
【図２】断線診断処理Ｓ２００を説明するフローチャートである。
【図３】第３の線路に断線が生じている様子を示す図である。
【図４】第２の線路に断線が生じている様子を示す図である。
【図５】第１の線路に断線が生じている様子を示す図である。
【発明を実施するための形態】
【００１５】
以下、本発明の実施形態について説明する。尚、以下の説明において、同一又は類似の部分に同一の符号を付して重複する説明を省略することがある。
【００１６】
図１は本発明の一実施形態として示すバランス補正回路１（バランス補正装置）である。バランス補正回路１は、例えば、直列接続された複数の蓄電セルからなる集合電池を利用する蓄電装置（電気自動車、ハイブリッド自動車、電気二輪車、鉄道車両、昇降機、系統連携用蓄電装置、パーソナルコンピュータ、ノートブック型コンピュータ、携帯電話機、スマートフォン、ＰＤＡ機器等）に適用される。蓄電セルは、例えば、リチウムイオン二次電池、リチウムイオンポリマー二次電池等であるが、電気二重層キャパシタ等の他の種類の蓄電素子であってもよい。
【００１７】
集合電池を構成している蓄電セル間で製造品質や劣化の度合いが異なる場合、蓄電セル間の電池特性（電池容量、放電電圧特性）に差が生じることがあり、この電池特性の差に起因して充放電時等に蓄電セル間の電圧にばらつきが生じることがある。そこでこのようなばらつきの発生を抑制すべく、バランス補正回路１は、蓄電セル間の電圧もしくは直列接続された複数の蓄電セルからなる蓄電モジュール間の電圧を均等化（セルバランスの確保）させるように動作する。
【００１８】
同図に示すように、このバランス補正回路１においては、直列接続された２つの蓄電セルＢ１，Ｂ２によって集合電池３が構成されている。集合電池３の正負端子３１，３２には、例えば、集合電池３に充電電流を供給する電流供給源（例えば、充電器、回生回路等）、集合電池３の起電力を利用して機能する負荷（例えば、モータ、電子回路、電気製品等）等が接続される。
【００１９】
同図に示すように、このバランス補正回路１は、蓄電セルＢ１，Ｂ２、スイッチング素子Ｓ１，Ｓ２、抵抗素子Ｒ１，Ｒ２、容量素子Ｃ１，Ｃ２、電圧センサ（電圧計）ＶＭ１，ＶＭ２、及び制御回路１０を含む。
【００２０】
蓄電セルＢ１の正負端子間には、スイッチング素子Ｓ１と放電素子として機能する抵抗素子Ｒ１とを直列接続した構成を有する第１の放電ユニットＵ１が接続し、それにより第１の回路（蓄電セルＢ１の正極、接続点Ｊ１、接続点Ｊ２、第１の放電ユニットＵ１、接続点Ｊ６、接続点Ｊ７、蓄電セルＢ１の負極をこの順に結んで構成される回路）が構成されている。
【００２１】
また蓄電セルＢ２の正負端子間には、スイッチング素子Ｓ２と放電素子として機能する抵抗素子Ｒ２とを直列接続した構成を有する第２の放電ユニットＵ２が接続し、それにより第２の回路（蓄電セルＢ２の正極、接続点Ｊ７、接続点Ｊ６、第２の放電ユニットＵ２、接続点Ｊ９、接続点Ｊ８、蓄電セルＢ２の負極をこの順に結んで構成される回路）が構成されている。
【００２２】
同図に示すように、接続点Ｊ６と接続点Ｊ７とを結ぶ線路は第１の回路と第２の回路の双方で共通になっている。
【００２３】
スイッチング素子Ｓ１，Ｓ２は、制御回路１０から夫々のゲートに供給される制御信号によってオンオフされる。スイッチング素子Ｓ１，Ｓ２は、例えば、ＭＯＳＦＥＴ（Metal-Oxide-Semiconductor Field-Effect Transistor)やバイポーラトランジスタを用いて構成される。
【００２４】
蓄電セルＢ１の正負端子間には電圧センサＶＭ１が接続されている。また蓄電セルＢ１の正負端子間には、電圧センサＶＭ１と並列して容量素子Ｃ１が接続されている。容量素子Ｃ１は電圧センサＶＭ１に入力される電圧を平滑化する役割を果たす。
【００２５】
蓄電セルＢ２の正負端子間には電圧センサＶＭ２が接続されている。また蓄電セルＢ２の正負端子間には、電圧センサＶＭ２と並列して容量素子Ｃ２が接続されている。容量素子Ｃ２は電圧センサＶＭ２に入力される電圧を平滑化する役割を果たす。
【００２６】
同図に示すように、制御回路１０は、電圧計測部１０１、電圧均等化制御部１０２、及び断線診断部１０３を備える。制御回路１０は、例えば、演算装置（ＣＰＵ（Central Processing Unit），ＭＰＵ（Micro Processing Unit）等）、並びに記憶装置（ＲＡＭ（Random Access Memory），ＲＯＭ（Read Only Memory）等）を備えたマイクロコンピュータを用いて、ハードウエア又はソフトウエアとして実現することができる。
【００２７】
電圧計測部１０１は、制御回路１０が備えるＡ／Ｄコンバータを介して、電圧センサＶＭ１の計測値である電圧Ｖ１、並びに電圧センサＶＭ２の計測値である電圧Ｖ２を取得し、取得した電圧Ｖ１並びに電圧Ｖ２を、電圧均等化制御部１０２並びに断線診断部１０３に随時入力する。
【００２８】
電圧均等化制御部１０２は、電圧計測部１０１から入力される電圧Ｖ１並びに電圧Ｖ２に基づき、蓄電セルＢ１と蓄電セルＢ２の夫々の端子間電圧が均等化されるように、具体的には、端子間電圧の差が０又は端子間電圧の差の絶対値が所定の閾値以下になるように、スイッチング素子Ｓ１，Ｓ２のオンオフを制御する。
【００２９】
例えば、蓄電セルＢ１の端子間電圧が蓄電セルＢ２の端子間電圧よりも高い場合、電圧均等化制御部１０２は、スイッチング素子Ｓ１をオン、スイッチング素子Ｓ２をオフに夫々制御して蓄電セルＢ１の電荷を放電させ、蓄電セルＢ１と蓄電セルＢ２の夫々の端子間電圧が均等化されるようにする。
【００３０】
また例えば、蓄電セルＢ２の端子間電圧が蓄電セルＢ１の端子間電圧よりも高い場合、電圧均等化制御部１０２は、スイッチング素子Ｓ１をオフ、スイッチング素子Ｓ２をオンに夫々制御して蓄電セルＢ２の電荷を放電させ、蓄電セルＢ１と蓄電セルＢ２の夫々の端子間電圧が均等化されるようにする。
【００３１】
尚、電圧均等化制御部１０２は、蓄電セルＢ１，Ｂ２間の電圧が、例えば、迅速性、安全性、効率等を向上させる観点から適切に均等化されるように、電圧Ｖ１並びに電圧Ｖ２の値に応じてスイッチング素子Ｓ１，Ｓ２のオンオフを制御する。
【００３２】
断線診断部１０３は、電圧均等化制御部１０２が制御を中止している間にスイッチング素子Ｓ１，Ｓ２のオンオフを制御し、スイッチング素子Ｓ１，Ｓ２を夫々オン又はオフの状態に維持した一つ以上のパターンについて電圧Ｖ１，Ｖ２を電圧計測部１０１から取得することにより、バランス補正回路１を構成している線路、具体的には、接続点Ｊ１及び接続点Ｊ２を含む、蓄電セルＢ１の正極と放電ユニットＵ１とを結ぶ線路（以下、第１の線路と称する。）、接続点Ｊ６及び接続点Ｊ７を含む、蓄電セルＢ２の正極（又は蓄電セルＢ１の負極）と放電ユニットＵ２（又は放電ユニットＵ１）とを結ぶ線路（以下、第２の線路と称する）、接続点Ｊ８及び接続点Ｊ９を含む、蓄電セルＢ２の負極と放電ユニットＵ２とを結ぶ線路（以下、第３の線路と称する）のうちの少なくともいずれかに現在、断線が生じているか否かを判定する。
【００３３】
＜断線診断処理＞                                      
続いて制御回路１０を主体として行われる断線診断の仕組みについて説明する。図２は断線診断に際して制御回路１０が行う処理（以下、断線診断処理Ｓ２００と称する。）を説明するフローチャートである。以下、同図とともに断線診断処理Ｓ２００について説明する。
【００３４】
同図に示すように、制御回路１０は、断線診断を行うタイミングが到来したか否かをリアルタイムに監視している。断線診断を行うタイミングが到来したことを検知すると（Ｓ２１１：ＹＥＳ）、制御回路１０は、電圧均等化制御部１０２を主体として行われている蓄電セルＢ１，Ｂ２の電圧均等化のための制御を中止し、Ｓ２１２以降の処理を開始する。尚、上記タイミングは、例えば、予め設定された日時が到来した際、予め設定された待機期間が経過した際、制御回路１０に設けられた入力インタフェース等を介してユーザが断線診断の開始指示操作を行った際等に到来する。
【００３５】
Ｓ２１２〜Ｓ２１７の処理では、制御回路１０は、第２又は第３の線路に断線が生じているか否かを判定する。
【００３６】
まず制御回路１０は、スイッチング素子Ｓ１をオフ、スイッチング素子Ｓ２をオンに制御する（Ｓ２１２）。そして容量素子Ｃ２に蓄積されている電荷を放電するのに必要な時間である放電時間以上待機した後（Ｓ２１３）、電圧センサＶＭ２から電圧Ｖ２の計測値を取得する（Ｓ２１４）。
【００３７】
ここで第２の線路及び第３の線路のいずれにも断線が生じていなければ、電圧Ｖ２は蓄電セルＢ２の端子間電圧に対応する値となる。しかし例えば図３又は図４に示すように、第２の線路及び第３の線路の少なくともいずれかに断線（この例では断線部位８１又は断線部位８２で断線）が生じていた場合には、放電ユニットＵ２の端子間の電圧が等しくなって、電圧Ｖ２は０もしくは予め設定された閾値（例えば蓄電セルＢ２の端子間電圧よりも十分に小さな値）以下になる。
【００３８】
そこで制御回路１０は、電圧Ｖ２が０もしくは予め設定された閾値以下であれば（Ｓ２１５：ＹＥＳ）、第２の線路及び第３の線路のうちの少なくともいずれかに断線が生じていると判定し、これを診断結果として記憶する（Ｓ２１６）。また電圧Ｖ２が０もしくは予め設定された閾値以下でなければ（Ｓ２１５：ＮＯ）、制御回路１０は、第２の線路及び第３の線路のいずれにも断線は生じていないと判定し、これを診断結果として記憶する（Ｓ２１７）。その後、処理はＳ２２０に進む。
【００３９】
尚、Ｓ２１３の処理で放電時間以上待機して容量素子Ｃ２に蓄積されている電荷を放電するようにしているのは、第２の線路及び第３の線路のうちの少なくともいずれかに断線が生じる前に容量素子Ｃ２が充電される期間が存在する場合は容量素子Ｃ２に電荷が残存している可能性があり、容量素子Ｃ２の端子間の電圧が電圧センサＶＭ２の計測値に影響を与え、第３の線路に断線が生じているか否かを正しく判定することができなくなるからである。従って、例えばバランス補正回路１の製造当初から第３の線路に断線が存在していた場合等、過去に容量素子Ｃ２が充電された期間が存在しないことが明らかな状況下で断線診断を行う場合にはＳ２１３の処理は必ずしも必要ではない。尚、第３の線路に断線が生じている場合、容量素子Ｃ２の充電経路は絶たれている。このため、Ｓ２１２でスイッチング素子Ｓ２をオンに制御することにより、容量素子Ｃ２に残存している電荷は、接続点Ｊ５→接続点Ｊ６→スイッチング素子Ｓ２→抵抗素子Ｒ２→接続点Ｊ９→接続点Ｊ１０の経路で放電されることになる。また、第２の経路に断線が生じている場合、蓄電セルＢ１の正極→接続点Ｊ１→接続点Ｊ３→容量素子Ｃ１→接続点Ｊ５→容量素子Ｃ２→接続点Ｊ１０→接続点Ｊ８→蓄電セルＢ２の負極の経路で容量素子Ｃ２の充電経路が発生する。しかし、その際の充電電流は非常に微小なものであるため、Ｓ２１２でスイッチング素子Ｓ２をオンに制御することにより、容量素子の電荷は、接続点Ｊ５→接続点Ｊ６→スイッチング素子Ｓ２→抵抗素子Ｊ９→接続点Ｊ１０の経路で放電されることになる。
【００４０】
Ｓ２２０〜Ｓ２２４の処理では、制御回路１０は、第１の線路に断線が生じているか否かを判定する。
【００４１】
まず制御回路１０は、スイッチング素子Ｓ１をオン、スイッチング素子Ｓ２をオフに制御する（Ｓ２２０）。そして容量素子Ｃ１に蓄積されている電荷を放電するのに必要な時間である放電時間以上待機した後（Ｓ２２１）、電圧センサＶＭ１から電圧Ｖ１の計測値を取得する（Ｓ２２２）。
【００４２】
ここで第１の線路に断線が生じていなければ、電圧Ｖ１は蓄電セルＢ１の端子間電圧に対応する値となる。しかし例えば図５に示すように、第１の線路に断線（この例では断線部位８３で断線）が生じていた場合には、放電ユニットＵ１の端子間の電圧が等しくなって、電圧Ｖ１は０もしくは予め設定された閾値（例えば蓄電セルＢ１の端子間電圧よりも十分に小さな値）以下になる。
【００４３】
そこで制御回路１０は、電圧Ｖ１が０もしくは予め設定された閾値以下であれば（Ｓ２２３：ＹＥＳ）、第１の線路に断線が生じていると判定し、これを診断結果として記憶する（Ｓ２２４）。また電圧Ｖ１が０もしくは予め設定された閾値以下でなければ（Ｓ２２３：ＮＯ）、制御回路１０は、第１の線路に断線は生じていないと判定し、これを診断結果として記憶する（Ｓ２２５）。その後、処理はＳ２２６に進む。
【００４４】
尚、Ｓ２２１の処理で所定時間待機して容量素子Ｃ１に蓄積されている電荷を放電するようにしているのは、第１の線路に断線が生じる前に容量素子Ｃ１が充電される期間が存在する場合は容量素子Ｃ１に電荷が残存している可能性があり、容量素子Ｃ１の端子間の電圧が電圧センサＶＭ１の計測値に影響を与え、断線が生じているか否かを正しく判定することができなくなってしまうからである。従って、例えばバランス補正回路１の製造当初から第１の線路に断線が存在していた場合等、過去に容量素子Ｃ１が充電された期間が存在しないことが明らかな状況下で断線診断を行う場合にはＳ２２１の処理は必ずしも必要ではない。尚、第１の線路に断線が生じている場合、容量素子Ｃ１の充電経路が絶たれている。このため、Ｓ２２０でスイッチング素子Ｓ１をオンに制御することにより、容量素子Ｃ１に残存している電荷は、接続点Ｊ３→接続点Ｊ２→スイッチング素子Ｓ１→抵抗素子Ｒ１→接続点Ｊ６→接続点Ｊ５の経路で放電されることになる。
【００４５】
以上に説明したように、本実施形態のバランス補正回路１にあっては、蓄電セルＢ１の電圧と蓄電セルＢ２の電圧を均等化するために設けられている、スイッチング素子Ｓ１，Ｓ２、電圧センサＶＭ１，ＶＭ２を利用して、第１乃至第３の線路に断線が生じているか否かを診断することができる。このため、一般的なバランス補正回路の構成に特別な回路を付加することなく、制御回路１０に断線新段部１０３の機能を追加するだけで第１乃至第３の線路に断線が生じているか否かを判定する仕組みを容易に実現することができる。このため、バランス補正回路１の簡素化並びに小型化を図ることができる。
【００４６】
またバランス補正回路１は、容量素子Ｃ１，Ｃ２を放電した後に断線の有無の診断を行うので、容量素子Ｃ１，Ｃ２に残存する電荷による影響を抑えて第１乃至第３の線路に断線が生じているか否かを正確に判定することができる。
【００４７】
尚、以上に説明した実施形態の説明は、本発明の理解を容易にするためのものであり、本発明を限定するものではない。本発明はその趣旨を逸脱することなく、変更、改良され得ると共に本発明にはその等価物が含まれることは勿論である。
【００４８】
例えば、図２に示した断線診断処理Ｓ２００では、第１乃至第３の線路の断線有無の判定を一連の流れとして行っているが、第１乃至第３の線路の夫々の断線有無の判定は必ずしも一度にまとめて行う必要はなく、独立したタイミングで個別に行うようにしてもよい。また第１乃至第３の線路の断線有無の判定を一連の流れとして行う場合、第１乃至第３の線路の断線有無を判定する順序は必ずしも図２に示した断線診断処理Ｓ２００の順序で行う必要はない。
【００４９】
本発明のバランス補正回路は、蓄電セルとは別体に設けられるものであってもよいし、蓄電セルと一体化されて電池パック等を構成するものであってもよい。
【符号の説明】
【００５０】
１  バランス補正回路、１０  制御回路、１０１  電圧計測部、１０２  電圧均等化制御部、１０３  断線診断部、Ｃ１，Ｃ２  容量素子、Ｂ１，Ｂ２  蓄電セル、Ｓ１，Ｓ２  スイッチング素子、Ｒ１，Ｒ２  抵抗素子、Ｕ１，Ｕ２  放電ユニット、ＶＭ１，ＶＭ２  電圧センサ
【図１】
2015033283.tif 000003
【図２】
2015033283.tif 000004
【図３】
2015033283.tif 000005
【図４】
2015033283.tif 000006
【図５】
2015033283.tif 000007